(57)【特許請求の範囲】
【請求項１】
無線リンクにより移動ターミナルと通信するネットワークインフラストラクチャーを有する無線通信システム内で動作できる移動ターミナルにおいて、上記ネットワークインフラストラクチャーは、少なくとも１つのネットワークベースのカレンダー項目を含むネットワークベースのカレンダー情報ソースに接続され、移動ターミナルにカレンダー情報を表示するための移動ターミナルのカレンダー表示装置が、
移動ターミナルに配置され、少なくとも１つの移動ベースのカレンダー項目を含む移動ベースのカレンダー情報ソースと、
移動ターミナルに配置され、上記ネットワークベースのカレンダー情報ソースに記憶された少なくとも１つの選択されたネットワークベースのカレンダー項目を検索すると共に、上記移動ベースのカレンダー情報ソースに記憶された少なくとも１つの選択された移動ベースのカレンダー項目を検索する検索装置と、
上記選択されたネットワークベースのカレンダー項目及び上記選択された移動ベースのカレンダー項目の指示を受け取るように接続され、上記選択されたネットワークベースのカレンダー項目と上記選択された移動ベースのカレンダー項目とを、人間が知覚できる形態で、同時にかつ一緒に表示するための表示要素と、
を備えたことを特徴とする装置。
【請求項２】
移動ターミナルに配置されそして上記移動ベースの情報ソースに接続されたユーザアクチュエータを更に備え、このユーザアクチュエータは、少なくとも１つの移動ベースのカレンダー項目を上記移動ベースのカレンダー情報ソースに記憶するためにユーザにより選択的に操作できる請求項１に記載の装置。
【請求項３】
上記検索装置に接続されたコピー装置を更に備え、このコピー装置は、選択されたネットワークベースのカレンダー項目を上記移動ベースのカレンダー情報ソースにコピーしてそこに記憶するように選択的に動作できる請求項２に記載の装置。
【請求項４】
上記検索装置に接続されたコピー装置を更に備え、このコピー装置は、選択された移動ベースのカレンダー項目を上記ネットワークベースのカレンダー情報ソースにコピーするように選択的に動作できる、請求項１に記載の装置。
【請求項５】
上記移動ターミナルは送信回路及び受信回路を備え、そして上記検索装置は、送信回路が検索要求を送信するようにさせ、この検索要求は、ネットワークベースのカレンダー情報ソースから選択されたネットワークベースのカレンダー項目の検索を要求するためのものである請求項１に記載の装置。
【請求項６】
上記検索装置は、更に、受信回路で受信が行われるときに、検索要求に応答して検索された上記選択されたネットワークベースのカレンダー項目の指示を受信回路が検出するようにさせる請求項５に記載の装置。
【請求項７】
上記通信システムは、ＳＭＳ（ショートメッセージサービス）を提供するＧＳＭ（移動通信用のグローバルシステム）セルラー通信システムを含み、そして上記検索装置が上記送信回路により送信させる検索要求は、第１のＳＭＳメッセージを含む請求項６に記載の装置。
【請求項８】
上記検索装置が受信回路に検出させる上記選択されたネットワークベースのカレンダー項目の指示は、第２のＳＭＳメッセージを含む請求項７に記載の装置。
【請求項９】
上記通信システムは、ＧＰＲＳ（汎用パケット無線サービス）を提供するＧＳＭ（移動通信用のグローバルシステム）セルラー通信システムを含み、そして上記検索装置が上記送信回路により送信させる検索要求は、第１のＧＰＲＳメッセージを含む請求項６に記載の装置。
【請求項１０】
上記検索装置が受信回路に検出させる上記選択されたネットワークベースのカレンダー項目の指示は、第２のＧＰＲＳメッセージを含む請求項９に記載の装置。
【請求項１１】
上記表示要素は、上記選択されたネットワークベースのカレンダー項目及び上記選択された移動ベースのカレンダー項目を視覚形態で表示する請求項１に記載の装置。
【請求項１２】
上記表示要素は、上記選択されたネットワークベースのカレンダー項目を移動ベースのカレンダー項目の表示と同時に表示する請求項１１に記載の装置。
【請求項１３】
上記表示要素はビデオスクリーンを備え、このビデオスクリーンは、ディスプレイシートを表示するためのものであり、このディスプレイシートは、選択されたネットワークベースのカレンダー項目及び選択された移動ベースのカレンダー項目を含む請求項１に記載の装置。
【請求項１４】
上記ディスプレイシートは、ローカルシートを形成する複数の移動ベースのカレンダー項目を含み、そしてローカルシートは、ネットワークベースのカレンダー情報ソースへエクスポート可能である請求項１３に記載の装置。
【請求項１５】
上記ディスプレイシートは、移動ターミナルへエクスポートされてそこに記憶されそしてプッシュドシートを形成する複数のネットワークベースのカレンダー項目を含み、そしてプッシュドシートは、ネットワークベースのカレンダー情報ソースへエクスポート可能である請求項１３に記載の装置。
【請求項１６】
上記ディスプレイシートは、ネットワークシートを形成する複数のネットワークベースのカレンダー項目を含み、そしてネットワークシートは、上記移動ベースのカレンダー情報ソースに記憶されるべくエクスポート可能である請求項１３に記載の装置。
【請求項１７】
移動ターミナルにカレンダー情報を表示するための方法であって、移動ターミナルは、無線リンクにより移動ターミナルと通信するネットワークインフラストラクチャーを有する無線通信システム内で動作することができ、そして上記ネットワークインフラストラクチャーは、ネットワークベースのカレンダー情報ソースに接続され、上記方法は、
ネットワークベースのカレンダー情報ソースに少なくとも１つのネットワークベースのカレンダー項目を記憶し、
移動ターミナルに配置された移動ベースのカレンダー情報ソースに少なくとも１つの移動ベースのカレンダー項目を記憶し、
ネットワークベースのカレンダー情報ソースに記憶された少なくとも１つの選択されたネットワークベースのカレンダー項目、及び少なくとも１つの選択された移動ベースのカレンダー項目を検索し、そして
上記選択されたネットワークベースのカレンダー項目と選択された移動ベースのカレンダー項目とを移動ターミナルの表示要素に同時にかつ一緒に表示する、
という段階を含むことを特徴とする方法。
【請求項１８】
上記移動ターミナルは、ユーザにより選択的に操作できるユーザアクチュエータを含み、そして上記記憶動作中に記憶される少なくとも１つの移動ベースのカレンダー項目は、ユーザアクチュエータの選択されたユーザ操作に応答して記憶される請求項１７に記載の方法。
【請求項１９】
上記検索動作は、ネットワークベースのカレンダー情報ソースから上記選択されたネットワークベースのカレンダー項目を検索することを要求する検索要求を、移動ターミナルから送信することを含む請求項１７に記載の方法。
【請求項２０】
上記検索動作は、更に、検索要求に応答して与えられる上記選択されたネットワークベースのカレンダー項目の指示を移動ターミナルにおいて検出することを含む請求項１９に記載の方法。
【請求項２１】
上記表示動作中に表示される上記選択されたネットワークベースのカレンダー項目及び選択された移動ベースのカレンダー項目は、同時に表示される請求項１７に記載の方法。
【請求項２２】
上記検索動作中に検索された上記選択されたネットワークベースのカレンダー項目を移動ベースのカレンダー情報ソースに記憶するという付加的な動作を含む請求項１７に記載の方法。
【請求項２３】
上記検索動作中に検索された上記選択された移動ベースのカレンダー項目をネットワークベースのカレンダー情報ソースに記憶するという付加的な動作を含む請求項１７に記載の方法。
【発明の詳細な説明】
【０００１】
【技術分野】
本発明は、一般に、無線通信システム内で動作できる移動ターミナル、例えば、セルラー通信システム内で動作できるセルラー移動ターミナルにおいてデータベース情報を表示するための方法に係る。より詳細には、本発明は、移動ターミナルにおいてカレンダー情報を表示するための装置及び関連方法に係る。ローカル位置に記憶され又は発生されるカレンダー項目、及びネットワークカレンダーデータベースのようなリモートソースに記憶され又は発生されるカレンダー項目を、移動ターミナルにおいて同時に表示することができる。
【０００２】
【背景技術】
通信技術の進歩により、電話で通信するワイヤレス通信システムの開発、設置及び幅広い利用が可能になった。ワイヤレス通信システムでは、通信信号が送信される通信経路の少なくとも一部分が無線リンクで形成される。その結果、ワイヤレス通信システムの利用により移動通信の増加が可能となった。
例えば、種々の形式のセルラー通信システムのネットワークインフラストラクチャーが広い地理的エリアにわたって設置されている。このようなセルラー通信システムに対する非常に多数の加入者は、どんな契約がなされたかに基づきシステムのネットワークインフラストラクチャーにより包囲されたエリアに位置するときに電話で通信することができる。このようなセルラー通信システムでは、音声及びデータの両方の電話通信が一般に許される。
【０００３】
セルラー通信システムの加入者は、通常、通信システムのネットワークインフラストラクチャーと共に無線リンクに通信される無線信号を送受信することのできる無線トランシーバで形成された移動ターミナルを使用する。ユーザという語は、ここでは、移動ターミナルの使用者を識別するために使用される。ある通信システムは、情報を通信の前及び受信の後にデジタル化するデジタル通信技術を使用する。処理回路は、送信の前及び受信の後に情報に作用するように使用される。
移動ターミナルを形成する回路は、ユーザにより移動ターミナルを便利に携帯できるようにするハウジング内にしばしばパッケージされる。種々の構造の移動ターミナルは、ユーザが移動ターミナルをユーザのシャツのポケット等に入れて携帯できるような物理的大きさである。
【０００４】
移動ターミナルは、処理回路を使用するので、処理回路は、従来の通信動作を遂行するのに必要な機能に加えて幾つかの機能を実行するように使用することもできる。即ち、他の装置の機能を移動ターミナルに組み込むことができる。例えば、情報処理及び検索機能が移動ターミナルに組み込まれることがある。
例えば、ある移動ターミナルは、インターネットのようなパケットデータネットワークに接続された装置と通信することができる。即ち、データパケットは、パケットデータバックボーンを経て装置へと延びるワイヤライン経路と無線リンクとの両方を含む通信パックにおいて移動ターミナルと装置との間で通信することができる。従って、移動ターミナルは、パーソナルコンピュータ又は他の処理装置と同様に動作することができ、より一般的には、ウェブベース装置をアクセスするように使用される。
【０００５】
オンラインカレンダーは、インターネット又は他のパケットデータバックボーンに接続された装置から検索できる情報の一例である。オンラインカレンダーは、一般に、３つのビュー形式の１つ以上を与える。１つの例示的オンラインカレンダーは、ユーザのパーソナルカレンダーをリストするパーソナルカレンダービューを与える。別のオンラインカレンダーは、特定のファシリティにおいて生じる事象や、特定の日付に生じる事象のような複数の事象の事象リストを与える。そして、もう１つのオンラインカレンダービューは、関心事基準によりフィルタされる事象リストのサブセットを含む関心事カレンダーを形成する。
又、パーソナルコンピュータのような処理装置においてローカルに使用するための同様のパーソナルカレンダーも入手できる。このようなローカルカレンダーは、ローカルカレンダーをアクセス、表示及び更新するための適当な回路を含む移動ターミナルにおいて個人的に使用することもできる。
【０００６】
ＳＭＳ（ショートメッセージサービス）メッセージを与えるＧＳＭ（移動通信用のグローバルシステム）通信システム内で動作できる移動ターミナルは、ＳＭＳメッセージによりカレンダー項目を受信及び送信することができる。又、カレンダー項目は、選択可能であり、そしてブラウザアプリケーションは、自動的にカレンダーアプリケーションをオープンして、ｖＣａｌｅｎｄａｒ又はｉＣａｌｅｎｄａｒのようなカレンダー項目を取り扱うように動作できる。カレンダーアプリケーションの選択は、それに関連したファイル形式、例えば、ＶＣＳに基づいて行うことができる。
オンラインカレンダーは、インターネット又は他のパケットベースのバックボーンに接続できる処理装置を使用してユーザがカレンダーにアクセスできるという理由で効果的である。しかしながら、バックボーンにアクセスする能力、ひいては、オンラインカレンダーが配置される装置が、当然、必要とされる。これに対して、ローカルベースのカレンダーは、バックボーンへのアクセスに関わりなくアクセスできる。しかしながら、カレンダー項目は、ローカルに記憶された又は発生される項目に限定される。
【０００７】
これまで、従来のオンラインカレンダーとローカルベースのカレンダーとの間の相互作用はほとんどない。それ故、オンラインカレンダー本来の利点が、オンラインカレンダーのユーザに限定される。更に、ローカルベースカレンダー本来の利点は、ローカルベースカレンダーのユーザにしか得られない。
ローカルベースカレンダーとオンラインカレンダーとの間の相互作用を与える方法が提供できれば、改良されたカレンダーアプリケーションが提供されることになろう。
データベース情報の表示に関連したこの背景情報に鑑み、本発明の顕著な改善が展開された。
【０００８】
【発明の開示】
従って、本発明は、無線通信システム内で動作できる移動ターミナルにおいてカレンダー情報を表示する装置及び関連方法を効果的に提供する。移動ターミナルに表示できるカレンダー情報は、移動ターミナルにおいてローカルに記憶され又は発生されるカレンダー項目と、ネットワークカレンダーデータベースのようなリモートソースにおいて記憶され又は発生されるカレンダー項目との両方を、移動ターミナルに同時に表示できるようにする。
本発明の一実施形態の動作により、カレンダーアプリケーションの実行に従って発生されるカレンダー表示は、無線リンクを経てネットワークカレンダーデータベースにより与えられるカレンダー項目と、移動ターミナルにローカルに記憶されるカレンダー項目との両方を含む。ローカルベースのカレンダーアプリケーション及びネットワークベースのカレンダーアプリケーションの両方に本来ある利点は、本発明の一実施形態のカレンダーアプリケーションにより与えられる。
【０００９】
移動ターミナルのユーザに関心のある事象に関する最新の情報は、カレンダーアプリケーションの動作を介して検索することができ、そしてポータブルの移動ターミナルに表示することができる。逆に、移動ターミナルのユーザにとって個人的な事象及び情報、又はネットワークベースの装置に記憶されることを望まない事象及び情報は、移動ターミナルにローカル記憶することができ、これにより、パーソナル情報の機密が確保される。従って、本発明の一実施形態のカレンダーアプリケーションの動作を通じて移動ターミナルにより表示できるカレンダー表示は、ローカルに記憶された単一カレンダー表示のカレンダー項目に対して、そのような項目の機密を、リモートのネットワークカレンダーデータベースから検索されたカレンダー項目と一緒に維持することができる。
本発明の１つの特徴において、カレンダー表示は、液晶ディスプレイ（ＬＣＤ）スクリーンのような可視表示装置にシートの形態で表示される。１つのシート形式は、ローカル記憶要素から検索されたカレンダー項目又はローカル入力されたカレンダー項目がシートに位置されそして移動ターミナルの表示要素に表示されるようなローカルシートである。このローカルシートは、ネットワークカレンダーデータベースを形成するリモードサーバー、並びにシートをエクスポートすべく選択する別の適当な装置にエクスポートすることができる。
【００１０】
別のシート形式は、カレンダー項目が、ネットワークカレンダーデータベースのようなリモート位置から、移動ターミナルの記憶要素に記憶されるべくダウンロードされるようなプッシュドシートである。このプッシュドシートに表示されるカレンダー項目は、移動ターミナルにダウンロードされるカレンダー項目を含む。カレンダー項目は、移動ターミナルにダウンロードされると、そこに記憶されるので、その後は、リモートネットワーク装置への移動ターミナルのその後の接続又は再接続に関わりなく、カレンダー項目を直ちに検索することができる。
もう１つのシート形式は、カレンダー項目がネットワークカレンダーデータベースに記憶されそしてそこからネットワークシートに表示されるべく検索されるようなネットワークシートである。ネットワークシートを形成するようにカレンダー項目を検索するときには、移動ターミナルとネットワークデータベースとの間を接続することが必要となる。カレンダー項目はネットワークデータベースに記憶されるので、このような項目は、適宜に更新することができる。従って、ネットワークシートを形成するカレンダー項目は、最新の精度レベルに維持することができる。又、ネットワークシートを形成するようにカレンダー項目は、プッシュドシートのカレンダー項目を移動ターミナルに記憶できるやり方と同様に、移動ターミナルに記憶することもできる。
【００１１】
１つの実施形態では、ＧＳＭ（移動通信用のグローバルシステム）セルラー通信システム内で動作できる移動ターミナルのためのカレンダーアプリケーションが提供される。ある実施形態では、ＧＳＭシステムは、ＳＭＳ（ショートメッセージサービス）メッセージを提供し、そして別の実施形態では、ＧＳＭシステムは、更に、ＧＰＲＳ（汎用パケット無線サービス）を提供する。移動ターミナルは、ＧＳＭシステムが、ＳＭＳメッセージを送受信するためのＳＭＳメッセージサービスを提供するような実施形態において動作することができる。更に、ＧＳＭシステムがＧＰＲＳを提供するような実施形態において、移動ターミナルは、ＧＰＲＳに準じたパケットデータを送受信するよう更に動作できる。カレンダーアプリケーションは、移動ターミナルの表示要素に選択されたカレンダー項目を表示するユーザ要求等を介して実行することができる。移動ターミナルにローカルに記憶され又は入力されたカレンダー項目は、移動ターミナルの表示要素に表示することができ、そしてリモートネットワークのカレンダーデータベースから検索されたカレンダー項目も、移動ターミナルの表示要素に表示することができる。ネットワークデータベースから検索され及びローカル位置に供給されるカレンダー項目は、共通の表示シートに一緒に表示することができ、従って、移動ターミナルのユーザにこのような両カレンダー項目が与えられる。
【００１２】
それ故、これら及び他の特徴において、カレンダー情報を表示するための移動ターミナル用のカレンダー表示装置及び関連方法が提供される。移動ターミナルは、無線リンクにより移動ターミナルと通信するネットワークインフラストラクチャーを有する無線通信システム内で動作することができる。ネットワークインフラストラクチャーは、少なくとも１つのネットワークベースのカレンダー項目を含むネットワークベースのカレンダー情報ソースに接続される。移動ターミナルには、移動ベースのカレンダー情報ソースが配置される。移動ベースのカレンダー情報ソースは、少なくとも１つの移動ベースのカレンダー項目を含む。移動ターミナルには、検索装置が配置される。この検索装置は、ネットワークベースのカレンダー情報ソースに記憶された少なくとも１つの選択されたネットワークベースのカレンダー項目を検索する。更に、検索装置は、移動ベースのカレンダー情報ソースに記憶された少なくとも１つの選択された移動ベースのカレンダー項目を検索する。上記選択されたネットワークベースのカレンダー項目及び上記選択された移動ベースのカレンダー項目の指示を受け取るように表示要素が接続される。この表示要素は、上記選択されたネットワークベースのカレンダー項目及び上記選択された移動ベースのカレンダー項目を、人間が知覚できる形態で、一緒に表示する。
【００１３】
【発明を実施するための最良の形態】
本発明及びその範囲は、添付図面、本発明の好ましい実施形態の以下の詳細な説明及び特許請求の範囲から完全に理解されよう。
図１は、本発明の一実施形態が動作し得る通信システムを参照番号１０で一般的に示す。図１に示す例示的システムについて詳細に説明するが、この説明は、一例に過ぎないことを理解されたい。本発明の実施形態は、他の形式の通信システムにおいても同様に動作し得る。例えば、図１に示す例示的システムは、ＧＳＭネットワークを含むが、本発明の実施形態の動作は、例えば、（Ｗ）ＣＤＭＡ（ワイドバンドコード分割多重アクセス）を使用するいわゆる第３世代のネットワークについても、同様に説明することができる。従って、本発明の実施形態の動作は、このような他の形式の通信システムについても同様に説明することができる。
【００１４】
通信システム１０は、ここでは、ダウンリンクチャンネル１４及びアップリンクチャンネル１６を含む無線リンクにより、移動ステーション１２とワイヤレス通信する。ここに示す実施形態では、通信システム１０は、ＧＰＲＳ（汎用パケット無線サービス）及びＳＭＳ（ショートメッセージサービス）のメッセージを与えるＧＳＭ（移動通信用のグローバルシステム）セルラー通信システムを形成する。移動ステーション１２は、ダウンリンク１４及びアップリンク１６により従来のやり方でリモート通信システムと通信するように適当なＧＳＭ規格に基づいて動作できるＧＳＭ移動ステーションを形成する。
従来の形態では、移動ステーションは、アンテナトランスジューサ２８により通信信号を各々受信及び送信することのできる受信回路２４及び送信回路２６を備えている。移動ステーション１２は、ダウンリンク１４及びアップリンク１６により回路交換通信を行うように動作できる。移動ステーションは、更に、適当なＧＳＭ規格に規定されたプロトコルに準じてＳＭＳメッセージを通信すると共に、適当なＧＳＭ規格に準じてＧＰＲＳ動作を遂行するように動作することもできる。ＳＭＳメッセージ及びＧＰＲＳ動作は、データのパケットが移動ステーションと通信されるところの共用アップリンク及びダウンリンクチャンネルにおいて遂行される。
【００１５】
移動ステーションは、更に、移動ステーションのユーザが選択的に操作できるキーパッド入力アクチュエータ３４を含むユーザインターフェイス３２を備えている。ユーザインターフェイスは、ディスプレイ装置、ここでは、ＬＣＤ（液晶ディスプレイ）要素３６も含む。入力アクチュエータ３４及びＬＣＤ要素３６はコントローラ３８に接続される。コントローラ３８は、とりわけ、例えば、キーパッド入力アクチュエータ３４のユーザ操作に応答して、受信回路２４及び送信回路２６の動作を制御するように動作できる。又、コントローラは、本発明の実施形態の動作に基づいてＬＣＤ要素３６に表示を発生するように動作することもできる。
移動ステーションは、更に、カレンダー項目及びシートテンプレートを記憶するように動作できる記憶要素４２も備えている。このメモリ４２は、どこかから検索されたカレンダー項目又はキーパッドアクチュエータ３４の選択された操作キーの操作により発生されたカレンダー項目を適宜に記憶及び更新することのできる読み取り／書き込みメモリである。
【００１６】
コントローラは、ここで検索装置４４として示された機能的要素を含む。検索装置は、本発明の実施形態の動作中に記憶要素４２に記憶されたカレンダー項目を検索してＬＣＤ要素３６に表示するように動作できる。又、検索装置４４は、リモート位置に記憶されたカレンダー項目を検索してＬＣＤ要素３６に表示すると共に、ローカル位置に記憶されたカレンダー項目も一緒に検索してＬＣＤ要素の共通表示に一緒に表示するように動作することもできる。
通信システムは、更に、ＰＬＭＮ（公衆地上移動ネットワーク）、ここでは、ＧＳＭネットワーク４６のネットワークインフラストラクチャーも備えている。このネットワーク４６は、ここでは、ベースステーションシステム４８及びＳＧＳＮ（サービスＧＰＲＳサポートノード）５４を含むように示されている。ＧＳＭネットワークのネットワークインフラストラクチャーの要素は、従来のやり方で動作でき、そして適当なＧＳＭ仕様書に全て詳細に規定されたトランシーバ機能、交換機能及びルート指定機能を与える。
【００１７】
ＳＧＳＮ５４は、次いで、従来のやり方でＧＧＳＮ（ゲートウェイＧＰＲＳサポートノード）５６に接続される。次いで、ＧＧＳＮ５６は、パケットデータネットワーク、ここでは、インターネットバックボーン６２に接続される。ネットワークカレンダーデータベース６６を含むサーバー６４は、従来のやり方でインターネットバックボーンに接続される。ネットワークカレンダーデータベースの内容のアクセスは、例えば、ＴＣＰ／ＩＰ（搬送制御プロトコル）要求により、検索動作に基づいて実行される。ＳＭＳ（ショートメッセージサービス）センター６８が更に図示されている。従来のように、ＳＭＳセンターは、ＧＳＭネットワーク４６に接続されると共に、ゲートウェイ７０によりインターネットバックボーン６２に接続される。ＳＭＳセンターは、通信システムの動作中に発生されたＳＭＳメッセージを記憶しそして転送するための記憶及び転送センターとして機能する。
本発明の実施形態の動作中に、移動ステーションのコントローラ３８の検索装置４４は、ネットワークカレンダーデータベース６６に記憶されたカレンダー項目を検索して、その検索されたカレンダー項目をＬＣＤ要素３６に表示できるように動作することができる。検索装置は、ローカルに記憶されたカレンダー項目を記憶要素４２から検索すると共に、ネットワークカレンダーデータベース６６に記憶されたカレンダー項目の検索を行うように動作できるので、ＬＣＤ要素に表示される表示は、ネットワーク記憶されたカレンダー項目及びローカル記憶されたカレンダー項目の両方を表通のカレンダー表示に含ませることができる。
【００１８】
ここに示す実施形態では、カレンダー表示の動作の開始が、キーパッドアクチュエータ３４の選択されたキーのユーザ操作により行われる。検索装置４４は、カレンダープログラムを表示する要求を表わすキーパッドアクチュエータの操作を検出するように動作できる。これに応答して、検索装置は、記憶要素４２に記憶された１つ以上のカレンダー項目を検索する。検索装置は、更に、送信回路２６がメッセージを発生するようにさせ、このメッセージは、アップリンク１６のチャンネルに送信され、その後、ベースステーション４８により検出され、そして通信システム１０のネットワーク部分の要素を経てサーバー６４にルート指定される。要求に含まれた１つ以上のネットワークベースのカレンダー項目は、送信とは逆のやり方で、ダウンリンク１４のチャンネルを経て移動ターミナルへ返送され、移動ステーションの受信回路２４により検出され、そしてその後、検索装置４４によりＬＣＤ要素３６に表示される。１つの実施形態では、検索装置は、送信回路２６がＳＭＳメッセージを発生するようにさせ、このメッセージは、アップリンク１６のチャンネルに送信され、ベースステーションシステム４８により検出され、そしてＳＭＳセンター６８へルート指定される。ＳＭＳセンター６８は、次いで、要求を発生させ、これはサーバー６４へルート指定される。１つ以上のネットワークカレンダーエレメントを含む応答がＳＭＳセンター６８に返送される。次いで、ＳＭＳセンター６８は、ＳＭＳメッセージを発生し、これは、ＧＳＭネットワークのネットワークインフラストラクチャーの要素を経てルート指定され、そしてダウンリンク１４のチャンネルを経て移動ステーション１２へ送信される。
【００１９】
ＧＳＭシステムがＧＰＲＳサービスを提供する実施形態では、ＧＰＲＳメッセージが送信回路２６により発生される。このＧＰＲＳメッセージは、ＧＳＭネットワークのネットワークインフラストラクチャーを経てルート指定され、その後に、サーバー６４へルート指定される。１つ以上のネットワークベースのカレンダー項目が検索されて、対応するＧＰＲＳメッセージにより返送され、このメッセージは、移動ステーションに受信されると、記憶要素４２から検索されたカレンダー項目と共に、共通のユーザインターフェイスにおけるカレンダー表示としてＬＣＤ要素３６に表示される。
１つの実施形態では、ＬＣＤ要素に表示されるカレンダー表示は、シートの形態で表示される。１つのシート形式は、記憶要素４２から検索されるか又はキーパッドアクチュエータ３４の操作により入力されたカレンダー項目を含むローカルシートである。このようなローカルシートは、ローカルシートを形成するカレンダー情報を含むＳＭＳメッセージ又はＧＰＲＳメッセージのようなメッセージの送信によりネットワークカレンダーデータベース６６へエクスポートすることができる。別のシート形式は、上述したようにネットワークカレンダーデータベース６６から検索されて記憶要素４２に記憶されるカレンダー項目を含むプッシュド(pushed)シートである。カレンダー項目は、記憶要素にいったん記憶されると、その後は、無線リンクによる移動ターミナルとサーバー６４とのその後の接続に関わりなく、検索することができる。もう１つのシート形式は、ネットワークシートである。ネットワークシートに表示できるカレンダー項目は、上述したようにネットワークカレンダーデータベース６６から検索され、そしてカレンダー項目の更新は、ネットワークカレンダーデータベースに記憶された既存のカレンダー項目の上に書き込むか、さもなくば、それを更新するのに使用されるメッセージの適当な送信により行われる。
【００２０】
図２は、本発明の実施形態の動作中に発生されるカレンダー表示の一例を参照番号７６で一般的に示している。このカレンダー表示７６は、移動ステーション１２のＬＣＤ要素３６に表示される。表示７６は、ここでは、最も左側（図で見て）のカラム７８に次々の時刻のリストで指示された時刻インデックスに対して示されたスケジュールされた事象を示す毎日のカレンダーを形成する。
カレンダー表示７６は、第１スクリーン本体部分８２と、第２スクリーン本体部分８４とを含む。第１スクリーン本体部分８２は、最初に、個人のカレンダー項目、即ち記憶要素４２（図１）から検索されたカレンダー項目をリストする。１０時にスケジュールされたカレンダー項目「meeting with Carl（カールとのミーティング）」は、ローカルカレンダー項目である。第２スクリーン本体部分８４に表示されたカレンダー項目は、最初、ネットワーク記憶されたカレンダー項目、即ちネットワークカレンダーデータベース６６（図１に示す）から検索されたカレンダー項目である。カレンダー項目「Tampere basketball star」及び「Ilves-Tampere. Hakamesta」は、このようなネットワークベースのカレンダー項目である。
【００２１】
本発明の実施形態の付加的な動作は、カレンダー表示に表示されたネットワークベースのカレンダー項目を移動ステーションのローカル記憶要素における記憶にコピーできるようにする。１９時のカレンダーエントリーに示されたように、第２スクリーン本体部分に表示されたネットワークベースのカレンダー項目は、第１スクリーン本体部分にコピーされる。
カレンダー表示の上部（図で見て）には、ツールバー部分がある。このツールバー部分は、カレンダー表示が「自分のカレンダー」であることを示す識別部分８６と、特定の要求を伴わずに移動ステーションにダウンロードされるカレンダー項目の形式を指示するプッシュ情報指示子８８と、「会社」のカレンダー項目が移動ステーションにプッシュされるべきであることを指示する第２のプッシュ部分９２と、「スポーツ」情報が移動ステーションにプッシュされることを指示する第３のプッシュ部分９４と、「ＭＴＶ３」情報が移動ステーションにプッシュされるべきであることを指示する第４のプッシュ部分９６と、カレンダー表示装置に表示できる使用可能なカレンダービューのリンクリストを識別する指示子９８とを含む。従って、カレンダー表示７６は、ローカルに記憶されたカレンダー項目及びネットワークに記憶されたカレンダー項目の両方について移動ステーションのユーザに便利な表示を与える。他のカレンダー表示も、同様に、ＬＣＤ要素３６（図１に示す）に表示することができる。
【００２２】
図３は、メッセージシーケンスを参照番号１０２で一般的に示す図で、本発明の実施形態に基づき図１に示された通信システムの動作中に発生される信号のシーケンスを示している。先ず、セグメント１０４で示されたように、ユーザインターフェイス３２のキーパッドアクチュエータのユーザ操作に応答して信号が発生される。この信号は、移動ステーションの表示要素にカレンダー表示を表示する要求の開始を指示する。コントローラ３４はこの信号を検出する。次いで、コントローラは、移動ステーションの送信回路が、信号、ここでは、セグメント１０６で示されたＳＭＳメッセージを発生するようにさせ、これは、通信システムのネットワークインフラストラクチャーのベースステーションシステム４８へ送信される。ベースステーションシステムは、セグメント１０８で示された要求を表わす信号をＳＭＳセンター６８にルート指定する。次いで、ＳＭＳセンターは、セグメント１１２で示された信号を発生し、これは、サーバー６４（図１に示す）のネットワークデータベース６６にアクセスする。カレンダー項目は、ネットワークデータベースから検索され、そしてセグメント１１４で示されたそれを表わす信号は、ＳＭＳセンターを経てベースステーションシステム４８に返送される。ベースステーションシステムは、セグメント１１６で示されたダウンリンク信号を発生し、これは、移動ステーションの受信回路２４（図１に示す）により検出され、そしてコントローラ３４へ供給される。次いで、コントローラは、セグメント１１８で示すように、ユーザインターフェイスのＬＣＤ要素に信号を送信する。検索されたカレンダー項目をカレンダー表示がそこに表示される。
【００２３】
図４は、本発明の実施形態の方法のフローチャートを参照番号１３２で一般的に示す。この方法１３２は、無線通信システム内で動作できる移動ターミナルにカレンダー情報を表示させるように動作する。
先ず、ブロック１３４で示すように、少なくとも１つのネットワークベースのカレンダー項目がネットワークベースのカレンダー情報ソースに記憶される。次いで、ブロック１３６で示すように、少なくとも１つの移動ベースのカレンダー項目が、移動ターミナルに配置された移動ベースのカレンダー情報ソースに記憶される。
【００２４】
その後、ネットワークベースのカレンダー情報ソースに記憶された少なくとも１つの選択されたネットワークベースのカレンダー項目と、少なくとも１つの選択された移動ベースのカレンダー項目とが検索される。次いで、ブロック１４２で示すように、選択されたネットワークベースのカレンダー項目及び選択された移動ベースのカレンダー項目が移動ターミナルの表示要素に一緒に表示される。
従って、本発明の実施形態の動作により、ネットワークカレンダーデータベースに記憶されたカレンダー項目及び移動ターミナルにローカルに記憶されたカレンダー項目の両方を、移動ターミナルの共通のカレンダー表示に一緒に表示することができる。
以上の説明は、本発明を実施するための好ましい例に過ぎず、本発明の範囲をこれに限定するものではない。本発明の範囲は、特許請求の範囲のみによって限定されるものとする。
【図面の簡単な説明】
【図１】  本発明の一実施形態が作用する通信システムの機能的ブロック図である。
【図２】  本発明の一実施形態の動作中に発生されるスクリーン表示の一例を示す図である。
【図３】  本発明の一実施形態の動作中に発生されるメッセージのシーケンスを示すメッセージシーケンス図である。
【図４】  本発明の一実施形態による動作方法の段階を示すフローチャートである。
【図１】
0004667696.tif 000002
【図２】
0004667696.tif 000003
【図３】
0004667696.tif 000004
【図４】
0004667696.tif 000005